(57)【特許請求の範囲】
【請求項１】
前方に移動して相手側コネクタと接続するプラグコネクタであって、
絶縁性を有するハウジングと、
フレキシブルプリント基板に接続する第１の端子部と、前記ハウジングの前後方向及び左右方向に沿って平坦な面に露出して前記相手側コネクタのコンタクトに接続する第１の接続部と、を備えると共に、前記ハウジングの一辺に沿って配列して前記ハウジングに固定される複数の第１のコンタクトと、
フレキシブルプリント基板に接続する第２の端子部と、前記平坦な面に露出して前記相手側コネクタのコンタクトに接続する第２の接続部と、を備えると共に、前記ハウジングの前記一辺に対向する辺に沿って配列して前記ハウジングに固定される複数の第２のコンタクトと、
を有し、
前記ハウジングは、
前記第１のコンタクト及び前記第２のコンタクトの配列方向と交わる側面に、前記移動をガイドするガイド部を有し、
前記ガイド部は、
前記第１の接続部と前記第２の接続部との間に、前記平坦な面より突出すると共に前記第１の接続部及び前記第２の接続部よりも突出する突出部を有することを特徴とするプラグコネクタ。
【請求項２】
前記突出部は、
突出方向の先端側の外縁が湾曲した形状であることを特徴とする請求項１記載のプラグコネクタ。
【請求項３】
後方から移動してくる相手側コネクタと接続するリセプタクルコネクタであって、
絶縁性を有するハウジングと、
前記ハウジングの前後方向及び左右方向に沿って平坦な面から突出して前記相手側コネクタのコンタクトに接続する第１の接続部を有し、前記ハウジングの一辺に沿って配列して前記ハウジングに固定される複数の第１のコンタクトと、
前記平坦な面から突出して前記相手側コネクタのコンタクトに接続する第２の接続部を有し、前記ハウジングの前記一辺に対向する辺に沿って配列して前記ハウジングに固定されると共に前記第１のコンタクトに対向する複数の第２のコンタクトと、
を有するリセプタクルコネクタにおいて、
前記ハウジングは、
前記第１のコンタクト及び前記第２のコンタクトの配列方向と交わる側面に、前記移動をガイドする第１のガイド部を有し、
前記第１のガイド部は、
前記第１のコンタクトと前記第２のコンタクトとの対向方向における前記第２のコンタクト側に設けられると共に前記対向方向に沿って平坦な平坦部と、
前記対向方向における前記平坦部よりも前記第１のコンタクト側において前記平坦部に隣接して設けられ、上下方向に貫通する貫通孔と、
前記貫通孔から前記対向方向に沿って前記第１のコンタクト側に延設され、前記貫通孔に連通する連通孔と、
前記連通孔の上方を覆うと共に前記平坦部よりも上方に位置し、前記相手側コネクタの第２のガイド部と当接して前記相手側コネクタの前方への移動を阻止する規制部と、
を有することを特徴とするリセプタクルコネクタ。
【請求項４】
前記第１のガイド部は、
前記対向方向における前記第１のコンタクト側に設けられると共に前記平坦部よりも上方に位置し、前記リセプタクルコネクタに対して前方側から後方に移動してくる前記相手側コネクタの後方への移動を阻止する阻止部を更に有することを特徴とする請求項４又は請求項３記載のリセプタクルコネクタ。
【請求項５】
前記第１のガイド部は、
金属材料により形成されると共に回路基板に固定されるホールドダウンであることを特徴とする請求項３又は請求項４記載のリセプタクルコネクタ。
【発明の詳細な説明】
【技術分野】
【０００１】
本発明は、接続の際の移動をガイドするガイド機構を備えるプラグコネクタ及びリセプタクルコネクタに関する。
【背景技術】
【０００２】
近年、移動端末装置等の電子機器の薄型化に伴って、電子機器に搭載されるコネクタに対する低背化の要求が高まっている。
【０００３】
特許文献１は、上記の低背化の要求に応えて、フレキシブルプリント基板（以下、「ＦＰＣ」と記載する）のスライド移動による接続を可能にしたコネクタを示している。特許文献１のコネクタは、ＦＰＣに設けた補強板をスライド移動させて、第１抜止部及び第２抜止部と、ハウジングに設けられた補強体支持部と、の間に挿入し、第１抜止部及び第２抜止部によりＦＰＣの垂直方向への抜けを防止する。これにより、特許文献１のコネクタは、ハウジングとは別部材のＦＰＣの垂直方向への抜け止め部材を不要にすることができるので、低背化することができる。
【０００４】
一方、特許文献１のコネクタは、前後２列に接続部を有する多極化されたＦＰＣと接続することができないという課題を有している。
【０００５】
これに対して、従来、図１７に示す多極化したＦＰＣ１７０に接続したプラグコネクタ１５０と、図１８に示すリセプタクルコネクタ１６０と、を接続させることにより、ＦＰＣ１７０をプラグコネクタ１５０を介してリセプタクルコネクタ１６０に接続するものが知られている。
【０００６】
プラグコネクタ１５０は、ハウジング１５１と、凹部１５２を有する一対のガイド部１５３と、ハウジング１５１に一部を露出させて接続部１５６ａ、１５６ｂとしたコンタクト１５５ａ、１５５ｂと、を有している。また、リセプタクルコネクタ１６０は、ハウジング１６１と、凹部１６２を有すると共にガイド部１５３を挿入可能な一対のガイド部１６３と、ハウジング１６１に固定され、金属板を細長板状に打ち抜いて折り曲げることにより形成されると共に接続部１６６ａ、１６６ｂを備えたコンタクト１６５ａ、１６５ｂと、を有している。接続部１６６ａ及び接続部１６６ｂは、ＦＰＣの図示しない接続部に対応して、前後２列に配列されている。また、接続部１６６ａ及び接続部１６６ｂは、接続部１５６ａ及び接続部１５６ｂの配置に合わせて、前後２列に配列されている。接続部１５６ａは接続部１６６ａに接続し、接続部１５６ｂは接続部１６６ｂに接続する。
【０００７】
リセプタクルコネクタ１６０は、ＦＰＣ１７０と接続したプラグコネクタ１５０を図１７の状態から裏返しにして、ガイド部１５３をリセプタクルコネクタ１６０のガイド部１６３に挿入することにより、プラグコネクタ１５０の図１８の矢印Ａ方向（横方向）へのスライド移動をガイドする。これに伴って、プラグコネクタ１５０のコンタクト１５５ａ、１５５ｂは、リセプタクルコネクタ１６０のコンタクト１６５ａ、１６５ｂと当接しながら移動する。そして、プラグコネクタ１５０のガイド部１５３の凹部１５２と、リセプタクルコネクタ１６０のガイド部１６３の凹部１６２と、が嵌合する位置までプラグコネクタ１５０が矢印Ａ方向に移動することにより、接続部１５６ａと接続部１６６ａとが圧接すると共に、接続部１５６ｂと接続部１６６ｂとが圧接して、プラグコネクタ１５０とリセプタクルコネクタ１６０との接続を完了する。
【先行技術文献】
【特許文献】
【０００８】
【特許文献１】特開２０１２−２５２８６４号公報
【発明の概要】
【発明が解決しようとする課題】
【０００９】
しかしながら、従来のプラグコネクタ及びリセプタクルコネクタにおいては、接続する際に、プラグコネクタとリセプタクルコネクタのコンタクトとが常に当接しているため、リセプタクルコネクタのコンタクトの座屈変形等の変形を招き易いという課題を有する。特に、低背化したコネクタにおいては、リセプタクルコネクタのコンタクトに対する必要以上の押圧力を防止するための機構をハウジングに設けることは困難であるため、コンタクトの変形を招き易い。また、プラグコネクタをスライド移動させている間に、プラグコネクタのコンタクトが、リセプタクルコネクタの本来接続しないコンタクトと接続して、回路素子を破損させてしまう恐れがあるという課題を有する。
【００１０】
本発明の目的は、接続の際にスライド移動することに伴うコンタクトの変形又は回路素子の破損を防ぐプラグコネクタ及びリセプタクルコネクタを提供することである。
【課題を解決するための手段】
【００１１】
本発明に係るプラグコネクタは、前方に移動して相手側コネクタと接続するプラグコネクタであって、絶縁性を有するハウジングと、フレキシブルプリント基板に接続する第１の端子部と、前記ハウジングの前後方向及び左右方向に沿って平坦な面に露出して前記相手側コネクタのコンタクトに接続する第１の接続部と、を備えると共に、前記ハウジングの一辺に沿って配列して前記ハウジングに固定される複数の第１のコンタクトと、フレキシブルプリント基板に接続する第２の端子部と、前記平坦な面に露出して前記相手側コネクタのコンタクトに接続する第２の接続部と、を備えると共に、前記ハウジングの前記一辺に対向する辺に沿って配列して前記ハウジングに固定される複数の第２のコンタクトと、を有し、前記ハウジングは、前記第１のコンタクト及び前記第２のコンタクトの配列方向と交わる側面に、前記移動をガイドするガイド部を有し、前記ガイド部は、前記第１の接続部と前記第２の接続部との間に、前記平坦な面より突出すると共に前記第１の接続部及び前記第２の接続部よりも突出する突出部を有する。
【００１２】
プラグコネクタが横方向に移動して相手側コネクタに接続する際に、プラグコネクタの相手側コネクタに対向する方向への移動を、相手側コネクタに対向する対向面より突出する突出部により規制することにより、プラグコネクタと相手側コネクタのコンタクトとが常に当接している状態を回避することができる。
【００１３】
また、プラグコネクタの第１のコンタクト及び第２のコンタクトの、相手側コネクタに対向する方向への移動を、第１のコンタクトと第２のコンタクトとの間に設けた突出部により規制することにより、第１のコンタクト又は第２のコンタクトと、相手側コネクタにおける第１のコンタクト又は第２のコンタクトに本来接続しないコンタクトと、を接続しないようにすることができる。
【００１４】
本発明に係るリセプタクルコネクタは、後方から移動してくる相手側コネクタと接続するリセプタクルコネクタであって、絶縁性を有するハウジングと、前記ハウジングの前後方向及び左右方向に沿って平坦な面から突出して前記相手側コネクタのコンタクトに接続する第１の接続部を有し、前記ハウジングの一辺に沿って配列して前記ハウジングに固定される複数の第１のコンタクトと、前記平坦な面から突出して前記相手側コネクタのコンタクトに接続する第２の接続部を有し、前記ハウジングの前記一辺に対向する辺に沿って配列して前記ハウジングに固定されると共に前記第１のコンタクトに対向する複数の第２のコンタクトと、を有するリセプタクルコネクタにおいて、前記ハウジングは、前記第１のコンタクト及び前記第２のコンタクトの配列方向と交わる側面に、前記移動をガイドする第１のガイド部を有し、前記第１のガイド部は、前記第１のコンタクトと前記第２のコンタクトとの対向方向における前記第２のコンタクト側に設けられると共に前記対向方向に沿って平坦な平坦部と、前記対向方向における前記平坦部よりも前記第１のコンタクト側において前記平坦部に隣接して設けられ、上下方向に貫通する貫通孔と、前記貫通孔から前記対向方向に沿って前記第１のコンタクト側に延設され、前記貫通孔に連通する連通孔と、前記連通孔の上方を覆うと共に前記平坦部よりも上方に位置し、前記相手側コネクタの第２のガイド部と当接して前記相手側コネクタの前方への移動を阻止する規制部と、を有する。
【００１５】
横方向から移動してくる相手側コネクタがリセプタクルコネクタと接続する際に、第１のコンタクトと第２のコンタクトとの対向方向における第２のコンタクト側に設けた平坦部で、相手側コネクタの横方向への移動をガイドすると共に相手側コネクタのリセプタクルコネクタに対向する方向への移動を規制し、相手側コネクタの被ガイド部が平坦部を通り過ぎて貫通孔に到達した際に、相手側コネクタのリセプタクルコネクタに対向する方向への移動を許容することにより、相手側コネクタと、第１のコンタクト及び第２のコンタクトと、が常に当接している状態を回避することができる。
【００１６】
また、相手側コネクタのコンタクトのリセプタクルコネクタに対向する方向への移動を平坦部により規制することにより、リセプタクルコネクタの第１のコンタクト又は第２のコンタクトと、相手側コネクタにおける第１のコンタクト又は第２のコンタクトに本来接続しないコンタクトと、を接続しないようにすることができる。
【発明の効果】
【００１７】
本発明によれば、接続の際にスライド移動することに伴うコンタクトの変形又は回路素子の破損を防ぐことができる。
【図面の簡単な説明】
【００１８】
【図１】本発明の実施形態に係るプラグコネクタの上方の斜め後方から視た斜視図である。
【図２】本発明の実施形態に係るプラグコネクタの下方の斜め前方から視た斜視図である。
【図３】本発明の実施形態に係るプラグコネクタの底面図である。
【図４】本発明の実施形態に係るプラグコネクタの側面図である。
【図５】本発明の実施形態に係るリセプタクルコネクタの上方の斜め後方から視た斜視図である。
【図６】本発明の実施形態に係るリセプタクルコネクタの下方の斜め前方から視た斜視図である。
【図７】本発明の実施形態に係るリセプタクルコネクタの平面図である。
【図８】本発明の実施形態に係るリセプタクルコネクタの側面図である。
【図９】本発明の実施形態に係るリセプタクルコネクタの正面図である。
【図１０】本発明の実施形態に係るリセプタクルコネクタの背面図である。
【図１１】本発明の実施形態に係るプラグコネクタとリセプタクルコネクタとの嵌合を開始した直後の上方の斜め後方から視た斜視図である。
【図１２】図１１のＡ−Ａ断面図である。
【図１３】本発明の実施形態に係るプラグコネクタとリセプタクルコネクタとの嵌合の途中の上方の斜め後方から視た斜視図である。
【図１４】図１２のＢ−Ｂ断面図である。
【図１５】本発明の実施形態に係るプラグコネクタとリセプタクルコネクタとの嵌合を完了した際の上方の斜め後方から視た斜視図である。
【図１６】図１５のＣ−Ｃ断面図である。
【図１７】従来のＦＰＣに接続した状態のプラグコネクタの斜視図である。
【図１８】従来のリセプタクルコネクタの斜視図である。
【発明を実施するための形態】
【００１９】
以下、図面を適宜参照して、本発明の実施形態に係るプラグコネクタ及びリセプタクルコネクタにつき、詳細に説明する。図中、ｘ軸、ｙ軸及びｚ軸は、３軸直交座標系を成し、ｙ軸の正方向を前方向、ｙ軸の負方向を後ろ方向、ｘ軸方向を左右方向、ｚ軸の正方向を上方向、及びｚ軸の負方向を下方向として説明する。
【００２０】
＜プラグコネクタの構成＞
本発明の実施形態に係るプラグコネクタ１の構成につき、図１から図４を参照しながら、以下詳細に説明する。
【００２１】
プラグコネクタ１は、ハウジング１０と、コンタクト２０と、コンタクト３０と、を備えている。
【００２２】
ハウジング１０は、絶縁性を有する材料により形成されている。ハウジング１０は、相手側コネクタである後述するリセプタクルコネクタ１００と接続する際に、リセプタクルコネクタ１００に対向する対向面１１を備えている。ハウジング１０は、対向面１１の反対側に図示しないＦＰＣと当接する当接面１２を備えている。対向面１１及び当接面１２は、ｘ−ｙ平面に沿って平坦になっている。ハウジング１０は、コンタクト２０及びコンタクト３０の配列方向（ｘ軸方向）に交わる側面１３を有している。
【００２３】
ハウジング１０は、プラグコネクタ１の移動をガイドするガイド部１４を、左右の側面１３に有している。ガイド部１４は、左右に一対設けられている。
【００２４】
ガイド部１４は、接続部２２と接続部３２との間に設けられている（図３参照）。ガイド部１４は、対向面１１より下方に突出する突出部１５と、上面の前後方向の中央を下方に凹ませて形成した凹部１７と、を有している。ガイド部１４の上面、ガイド部１４の前方側の表面、及び突出部１５の表面は、金属材料により形成されている。
【００２５】
突出部１５は、図３に示すように、接続部２２と接続部３２との間において、コンタクト２０の接続部２２の露出端部（Ｌ１）から後方に延設されている。突出部１５は、ガイド部１４の前方側の先端に設けられている。突出部１５は、側面１３に平行な面で切断した切断面の先端側の外縁の形状が湾曲形状を有している。
【００２６】
コンタクト２０は、当接面１２より一段低い導出面１６より外部に導出されて前方に突出する端子部２１と、対向面１１に露出する接続部２２と、を備えている。コンタクト２０は、導電性を有する材料により形成されていると共に、ハウジング１０と一体成形されることによりハウジング１０に固定され、ハウジング１０の辺Ｈ１に沿って配列している。コンタクト２０は、コンタクト３０よりも前方側に配置されている。コンタクト２０は、左右方向に所定間隔で配列して設けられている。端子部２１は、図示しないＦＰＣの接続部に半田付けされて接続される。接続部２２は、対向面１１における前方側に露出すると共にハウジング１０の辺Ｈ１に沿って配列し、リセプタクルコネクタ１００のコンタクト１２０に接続する。
【００２７】
コンタクト３０は、当接面１２より一段低い導出面１６より外部に導出されて後方に突出する端子部３１と、対向面１１に露出する接続部３２と、を備えている。コンタクト３０は、導電性を有する材料により形成されていると共に、ハウジング１０と一体成形されることによりハウジング１０に固定され、ハウジング１０の辺Ｈ１に対向する辺Ｈ２に沿って配列している。コンタクト３０は、コンタクト２０よりも後方側に配置されている。
コンタクト３０は、左右方向に所定間隔で配列して設けられている。端子部３１は、図示しないＦＰＣの接続部に接続される。接続部３２は、対向面１１における後方側に露出すると共に辺Ｈ２に沿って配列し、リセプタクルコネクタ１００のコンタクト１３０に接続する。コンタクト３０は、コンタクト２０と同一形状を有している。
【００２８】
＜リセプタクルコネクタの構成＞
本発明の実施形態に係るリセプタクルコネクタ１００の構成につき、図５から図１０を参照しながら、以下詳細に説明する。
【００２９】
リセプタクルコネクタ１００は、ハウジング１１０と、コンタクト１２０と、コンタクト１３０と、を備えている。リセプタクルコネクタ１００は、下方の図示しない回路基板に実装される。リセプタクルコネクタ１００は、下方（実装方向）に移動して回路基板に実装される。
【００３０】
ハウジング１１０は、絶縁性を有する材料により形成されている。ハウジング１１０は、プラグコネクタ１とリセプタクルコネクタ１００とが接続する際に、相手側コネクタであるプラグコネクタ１のハウジング１０の対向面１１と対向する対向面１１１を備えている。ハウジング１１０は、対向面１１１により囲まれると共に上下に貫通する貫通孔１１２を有している。ハウジング１１０は、コンタクト１２０及びコンタクト１３０の配列方向（ｘ軸方向）に交わる側面１０８を有している。
【００３１】
ハウジング１１０は、プラグコネクタ１の移動をガイドするガイド部１１３を、左右の側面１０８に有している。ガイド部１１３は、左右に一対設けられている。
【００３２】
ガイド部１１３は、平坦部１１４と、規制部１１５と、貫通孔１１６と、連通孔１１７と、阻止部１１８と、半田付部１１９と、を備えている。ガイド部１１３は、金属材料により形成され、図示しない回路基板に半田付けにより固定されるホールドダウンである。ガイド部１１３は、一体成形によりハウジング１１０に固定されている。
【００３３】
平坦部１１４は、ガイド部１１３の後方側（コンタクト１３０側）の端部に設けられ、前後方向に沿って平坦になっている。平坦部１１４の上面は、ハウジング１１０の対向面１１１の上面と同じ高さになっている（図９参照）。平坦部１１４は、前端がコンタクト１３０の接続部１３１の後端（先端）よりも前方側に位置するように形成されている（図７参照）。
【００３４】
規制部１１５は、平坦部１１４よりも前方側（コンタクト１２０側）に設けられ、平坦部１１４よりも上方に位置している。規制部１１５には、下方に突出して連通孔１１７に位置する係合部１０９が形成されている（図９及び図１０参照）。
【００３５】
貫通孔１１６は、平坦部１１４よりも前方側（コンタクト１２０側）であって平坦部１１４と規制部１１５との間において、平坦部１１４に隣接して設けられ、上下方向に貫通している。
【００３６】
連通孔１１７は、規制部１１５により上方を覆われており、貫通孔１１６から前方に延設されていると共に、貫通孔１１６に連通している。
【００３７】
阻止部１１８は、ガイド部１１３の前方側（コンタクト１２０側）の先端に設けられ、平坦部１１４よりも上方に位置している。
【００３８】
半田付部１１９は、ガイド部１１３の前方側の端部の下方及び後方側の端部の下方に設
けられている。ガイド部１１３は、半田付部１１９が図示しない回路基板に半田付けされることにより、ホールドダウンとして機能する。
【００３９】
コンタクト１２０は、導電性を有する材料により形成されていると共に、ハウジング１１０と一体成形されることにより、左右方向に所定間隔で配列してハウジング１１０に固定されている。コンタクト１２０は、ハウジング１１０より貫通孔１１２に突出して上方に折り曲げられ、更にＵ字状に折り返されることにより対向面１１１よりも上方に突出する接続部１２１と（図１０参照）、ハウジング１１０より外部前方に突出して図示しない回路基板に半田付けされる端子部１２２と、を備えている。コンタクト１２０は、接続部１２１が上下左右に弾性変形可能になっている。コンタクト１２０は、コンタクト１３０よりも前方側に配置されている。接続部１２１は、プラグコネクタ１のコンタクト２０の接続部２２と当接して接続される。
【００４０】
コンタクト１３０は、導電性を有する材料により形成されていると共に、ハウジング１１０と一体成形されることにより、左右方向に所定間隔で配列してハウジング１１０に固定されている。コンタクト１３０は、ハウジング１１０より貫通孔１１２に突出して上方に折り曲げられ、更にＵ字状に折り返されることにより対向面１１１よりも上方に突出する接続部１３１と（図９参照）、ハウジング１１０より外部後方に突出して図示しない回路基板に半田付けされる端子部１３２と、を備えている。コンタクト１３０は、接続部１３１が上下左右に弾性変形可能になっている。コンタクト１３０は、コンタクト１２０よりも後方側に配置され、コンタクト１２０と前後方向で対向している。コンタクト１２０とコンタクト１３０との対向方向は、ｙ軸に平行な方向である。接続部１３１は、プラグコネクタ１のコンタクト３０の接続部３２と当接して接続される。コンタクト１３０は、コンタクト１２０と同一形状を有している。
【００４１】
＜プラグコネクタとリセプタクルコネクタとの接続動作及び接続解除動作＞
本発明の実施形態に係るプラグコネクタ１とリセプタクルコネクタ１００との接続動作及び接続解除動作につき、図１１から図１６を参照しながら、以下詳細に説明する。なお、図１１から図１６において、プラグコネクタ１には、図１１に一点鎖線で示すＦＰＣ２が接続されているものとする。
【００４２】
まず、プラグコネクタ１をリセプタクルコネクタ１００に向かって前方（横方向）に移動させ、プラグコネクタ１のガイド部１４とリセプタクルコネクタ１００のガイド部１１３との大まかな位置合わせを行う。この際、突出部１５と平坦部１１４の上面とを当接させた状態、又は、突出部１５と平坦部１１４の上面とを当接させずに対向させた状態で、プラグコネクタ１を前方に移動させることができる。また、プラグコネクタ１は、突出部１５と平坦部１１４の上面とが当接する位置よりも下方に移動しない。従って、プラグコネクタ１と、リセプタクルコネクタ１００のコンタクト１２０及びコンタクト１３０と、を接続させることなく、プラグコネクタ１を前方に移動させることができる。これにより、プラグコネクタ１とリセプタクルコネクタ１００との接続動作において、コンタクト１２０及びコンタクト１３０と、プラグコネクタ１とが常に当接する状態を回避することができるので、コンタクト１２０及びコンタクト１３０の座屈変形等の変形を防ぐことができる。
【００４３】
また、プラグコネクタ１を誤ってリセプタクルコネクタ１００の前方側から接続しようとした場合には、平坦部１１４よりも上方に位置する阻止部１１８にガイド部１４が当接して、プラグコネクタ１の後方への移動を阻止する。これにより、リセプタクルコネクタ１００に対するプラグコネクタ１の接続に方向性を持たせることができる。
【００４４】
上記の大まかな位置合わせを行った状態からプラグコネクタ１を更に前方に移動させる
ことにより、プラグコネクタ１のガイド部１４の突出部１５の前端が、リセプタクルコネクタ１００のガイド部１１３の規制部１１５の後端に位置する図１１及び図１２の状態になる。ここまでは、プラグコネクタ１のコンタクト２０の接続部２２及びコンタクト３０の接続部３２と、リセプタクルコネクタ１００のコンタクト１２０の接続部１２１及びコンタクト１３０の接続部１３１と、は接続しない。
【００４５】
また、ガイド部１４の前端がガイド部１１３の規制部１１５の後端に当接することにより、プラグコネクタ１の前方への更なる移動を阻止する。突出部１５は、ガイド部１４の前端と規制部１１５の後端とが当接した状態において、貫通孔１１６の上方に位置している。これにより、突出部１５と貫通孔１１６との位置合わせを確実に行うことができる。
【００４６】
プラグコネクタ１を図１１及び図１２の状態から下方に移動させた際には、突出部１５が貫通孔１１６に落ち込んで図１３及び図１４の状態になる。この状態では、図１４に示すように、ガイド部１４の上面が規制部１１５の下端から僅かに下方に位置する。突出部１５を側面１３に平行な面で切断した切断面の下方側（先端側）の外縁の形状が湾曲形状であるので、突出部１５の位置と貫通孔１１６の位置とが多少ずれていても、貫通孔１１６に突出部１５を容易に挿入することができる。これにより、リセプタクルコネクタ１００のコンタクト１２０及びコンタクト１３０は、プラグコネクタ１により下方に押圧されて弾性変形する。
【００４７】
次に、プラグコネクタ１を更に前方に移動させることにより、ガイド部１４は貫通孔１１６から連通孔１１７に移動する。
【００４８】
そして、プラグコネクタ１とリセプタクルコネクタ１００とが完全に接続した際には、係合部１０９と凹部１７とが係合し、ガイド部１４は連通孔１１７に完全に収納される図１５及び図１６の状態になる。この際、連通孔１１７に収納されたガイド部１４の後端が規制部１１５の後端よりも前方に位置する状態になる。これにより、ガイド部１４の後端と規制部１１５の後端との位置関係を見ることにより、プラグコネクタ１とリセプタクルコネクタ１００との接続の正常状態と非正常状態とを判断することができる。
【００４９】
図１５及び図１６の状態において、プラグコネクタ１のコンタクト２０の接続部２２とリセプタクルコネクタ１００のコンタクト１２０の接続部１２１とが圧接して接続すると共に、プラグコネクタ１のコンタクト３０の接続部３２とリセプタクルコネクタ１００のコンタクト１３０の接続部１３１とが圧接して接続する。
【００５０】
図１１及び図１２の状態から図１５及び図１６の状態になる過程において、プラグコネクタ１のコンタクト２０の接続部２２は、リセプタクルコネクタ１００のコンタクト１３０の接続部１３１に接続せずに、リセプタクルコネクタ１００のコンタクト１２０の接続部１２１に接続する。また、プラグコネクタ１のコンタクト３０の接続部３２は、リセプタクルコネクタ１００のコンタクト１３０の接続部１３１に接続する。これにより、プラグコネクタ１とリセプタクルコネクタ１００とを接続する際に、コンタクト２０とコンタクト１３０とを接続しないようにすることができる。
【００５１】
ガイド部１４の上面、ガイド部１４の前方側の表面、及び突出部１５の表面を、金属材料により一体に形成しているので、プラグコネクタ１の上記の移動において、ガイド部１４の強度を向上させることができる。
【００５２】
上記より、プラグコネクタ１とリセプタクルコネクタ１００とを接続する際に、プラグコネクタ１は、リセプタクルコネクタ１００に対して、上方向から押し下げられ、その後、前方へ移動させられることにより、二方向に移動する。
【００５３】
一方、プラグコネクタ１とリセプタクルコネクタ１００との接続を解除する場合には、図１５及び図１６に示す接続状態からプラグコネクタ１を後方に移動させることにより、凹部１７と係合部１０９との係合が解除され、ガイド部１４が連通孔１１７から貫通孔１１６に移動する。
【００５４】
そして、やがて、突出部１５の後端が平坦部１１４の前端に当接する。この状態から更にプラグコネクタ１を後方に移動させた際に、突出部１５は側面１３に平行な面で切断した切断面の先端側の外縁の形状が湾曲形状を有しているため、プラグコネクタ１は、突出部１５が平坦部１１４に乗り上げることにより上方に移動する。これにより、リセプタクルコネクタ１００のコンタクト１２０及びコンタクト１３０は、プラグコネクタ１に当接しないようになる。そして、プラグコネクタ１を更に上方に持ち上げることにより、図１１及び図１２の状態になり、プラグコネクタ１とリセプタクルコネクタ１００との接続を解除することができる。
【００５５】
このように、プラグコネクタ１とリセプタクルコネクタ１００との接続を解除する場合において、コンタクト１２０及びコンタクト１３０と、プラグコネクタ１とが常に当接する状態を回避することができるので、コンタクト１２０及びコンタクト１３０の座屈変形等の変形を防ぐことができる。また、突出部１５の後端が平坦部１１４の前端に当接した後にプラグコネクタ１は上方に移動するため、接続を解除する際にコンタクト２０とコンタクト１３０とを接続しないようにすることができる。
【００５６】
なお、本発明は、部材の種類、配置、個数等は前述の実施形態に限定されるものではなく、その構成要素を同等の作用効果を奏するものに適宜置換する等、発明の要旨を逸脱しない範囲で適宜変更可能であることはもちろんである。
【００５７】
例えば、本実施形態において、プラグコネクタ１のガイド部１４の上面、ガイド部１４の前方側の表面及び突出部１５の表面を金属材料により覆うようにしたが、ガイド部を金属材料で覆わずに、ハウジング１０と一体に形成してもよい。この場合には、金属材料を不要にすることができ、製造工程を簡単にすることができるため、製造コストを低減することができる。また、ガイド部の全てを金属材料により形成してもよい。この場合には、ガイド部の強度を向上させることができる。
【００５８】
また、本実施形態において、リセプタクルコネクタ１００の規制部１１５を無くしてもよい。この場合には、ガイド部を形成するための金属材料の量を減らすことができるため、製造コストを低減することができる。
【００５９】
また、本実施形態において、阻止部１１８を無くしてもよい。この場合には、ガイド部を形成するための金属材料の量を減らすことができるため、製造コストを低減することができる。
【００６０】
また、本実施形態において、突出部１５を接続部２２の露出端から後方に延設して設けたが、突出部１５を設ける位置を、接続部２２と接続部３２との間で、コンタクトを接触させるタイミングに応じて変更することができる。
【００６１】
また、本実施形態において、ガイド部１１３とホールドダウンとを兼用したが、ガイド部をホールドダウンにしなくてもよい。この場合、半田付け部１１９を設ける必要はない。また、ガイド部とホールドダウンとを兼用しない場合には、ガイド部をハウジング１１０と一体に形成することができる。この場合には、金属材料を不要にすることができ、製造工程を簡単にすることができるため、製造コストを低減することができる。
【００６２】
また、本実施形態において、リセプタクルコネクタ１００のガイド部１１３に貫通孔１１６を設けたが、プラグコネクタ１のガイド部１４の突出部１５の下方への移動を許容する構成であれば、底面側が塞がれた凹部等の貫通孔以外のものを設けてもよい。
【産業上の利用可能性】
【００６３】
本発明は、接続の際の移動をガイドするガイド機構を備えるプラグコネクタ及びリセプタクルコネクタに好適である。
【符号の説明】
【００６４】
１  プラグコネクタ
１０  ハウジング
１１  対向面
１２  当接面
１３  側面
１４  ガイド部
１５  突出部
１６  導出面
１７  凹部
２０  コンタクト
２１  端子部
２２  接続部
３０  コンタクト
３１  端子部
３２  接続部
１００  リセプタクルコネクタ
１０９  係合部
１１０  ハウジング
１１１  当接面
１１２  貫通孔
１１３  ガイド部
１１４  平坦部
１１５  規制部
１１６  貫通孔
１１７  連通孔
１１８  阻止部
１２０  コンタクト
１２１  接続部
１２２  端子部
１３０  コンタクト
１３１  端子部
１３２  端子部
【図１】
0005939270.tif 000002
【図２】
0005939270.tif 000003
【図３】
0005939270.tif 000004
【図４】
0005939270.tif 000005
【図５】
0005939270.tif 000006
【図６】
0005939270.tif 000007
【図７】
0005939270.tif 000008
【図８】
0005939270.tif 000009
【図９】
0005939270.tif 000010
【図１０】
0005939270.tif 000011
【図１１】
0005939270.tif 000012
【図１２】
0005939270.tif 000013
【図１３】
0005939270.tif 000014
【図１４】
0005939270.tif 000015
【図１５】
0005939270.tif 000016
【図１６】
0005939270.tif 000017
【図１７】
0005939270.tif 000018
【図１８】
0005939270.tif 000019